(57)【要約】【課題】表示装置で表示される画像の目次を、ユーザが容易に編集可能とする目次編集システムを提供する。【解決手段】ＰＣでは、表示装置との接続がある場合（Ｓ１０１：ＹＥＳ）、表示装置からフォルダ定義データが読み出され、ドキュメント内に編集対象目次があるか否かが判断される接続処理が実行される（Ｓ１０３）。ドキュメント内に編集対象目次がある場合は、ユーザが目次情報を編集するための目次編集画面が表示される。目次編集画面の表示がある場合（Ｓ１０５：ＹＥＳ）、ユーザがマウスやキーボードを使用して、目次編集画面にて任意の目次情報を編集する編集受付処理が実行される（Ｓ１０７）。目次編集画面の表示がない場合（Ｓ１０５：ＮＯ）、ユーザが指定したドキュメントに含まれる各ページの目次を一覧表示した目次ページを作成する目次ページ作成処理が実行される（Ｓ１０９）。【選択図】図１３
2011076472.tif 000002
【特許請求の範囲】
【請求項１】
画像の表示を行う表示装置と、前記画像の目次を編集するための編集装置とを含む目次編集システムであって、
前記表示装置は、
前記画像と前記目次とを対応付けて記憶する記憶手段と、
前記記憶手段に記憶されている前記画像を、前記表示装置の表示部に表示する第１表示手段と、
前記表示装置の操作部から所定の指示操作が検出された場合に、前記表示装置の表示部に表示されている前記画像に対応する前記目次を、前記記憶手段において編集対象目次に設定する編集対象設定手段と、
前記編集装置と接続して通信を行う第１通信手段とを備え、
前記編集装置は、
前記表示装置と接続して通信を行う第２通信手段と、
前記編集装置が前記表示装置と接続された場合に、前記記憶手段を参照して前記編集対象目次を読み出す編集対象読出手段と、
前記編集対象読出手段によって読み出された前記編集対象目次を、前記編集装置の表示部に表示する第２表示手段と、
前記編集装置の表示部に表示されている前記編集対象目次を、前記編集装置の操作部から検出される操作に応じて編集する目次編集手段と、
前記記憶手段において前記編集対象目次に設定されている前記目次を、前記目次編集手段によって編集された前記編集対象目次で更新する目次更新手段と
を備えたことを特徴とする目次編集システム。
【請求項２】
前記表示装置の表示部は、不揮発性表示部であり、
前記第１表示手段は、前記表示装置の表示部に表示される画像の書き換えを行うことを特徴とする請求項１に記載の目次編集システム。
【請求項３】
前記記憶手段は、前記目次を編集状態と対応付けて記憶し、
前記編集対象設定手段は、前記表示装置の表示部に表示されている前記画像に対応する前記目次に対応する前記編集状態を、前記編集対象目次であることを示す新規登録状態に設定し、
前記編集対象読出手段は、前記編集状態が前記新規登録状態に設定されている前記目次を、前記編集対象目次として読み出すことを特徴とする請求項１または２に記載の目次編集システム。
【請求項４】
前記編集装置は、
前記目次更新手段によって更新された前記目次に対応する前記編集状態を、編集が完了したことを示す登録完了状態に更新する第１状態更新手段を備えたことを特徴とする請求項３に記載の目次編集システム。
【請求項５】
前記編集装置は、
前記目次編集手段によって編集された前記編集対象目次について、前記編集装置の操作部から確定指示があるか否かを判断する確定判断手段と、
前記確定判断手段によって前記確定指示がないと判断された場合に、前記目次編集手段によって編集された前記編集対象目次に対応する前記編集状態を、編集が確定されていないことを示す既読状態に更新する第２状態更新手段とを備え、
前記目次更新手段は、前記確定判断手段によって前記確定指示があると判断された場合に、前記記憶手段に記憶されている前記目次の更新を実行し、
前記編集対象読出手段は、さらに前記編集対象目次として、前記編集状態が前記既読状態に設定されている前記目次を読み出すことを特徴とする請求項３または４に記載の目次編集システム。
【請求項６】
前記記憶手段は、コンテンツごとに設けられた記憶領域に、前記画像と前記目次とを対応付けて記憶し、
前記編集装置は、
前記編集装置が前記表示装置と接続された場合に、前記編集装置の操作部から前記コンテンツの指定を受け付ける指定受付手段と、
前記コンテンツ指定手段によって指定された前記コンテンツに対応する前記目次を、前記記憶手段を参照して前記コンテンツごとに設けられた記憶領域から読み出す目次読出手段と、
前記目次読出手段によって読み出された前記目次に基づいて、前記コンテンツに含まれる前記目次が一覧表示された目次ページを作成する目次ページ作成手段と
を備えたことを特徴とする請求項１乃至５のいずれかに記載の目次編集システム。
【請求項７】
前記編集装置は、
前記目次ページ作成手段によって作成された前記目次ページを、前記コンテンツごとに設けられた記憶領域に書き込む目次ページ書込手段を備えたことを特徴とする請求項６に記載の目次編集システム。
【請求項８】
画像の表示を行う表示装置であって、
前記画像と前記目次とを対応付けて記憶する記憶手段と、
前記記憶手段に記憶されている前記画像を、前記表示装置の表示部に表示する表示手段と、
前記表示装置の操作部から所定の指示操作が検出された場合に、前記表示装置の表示部に表示されている前記画像に対応する前記目次を、前記記憶手段において編集対象目次に設定する編集対象設定手段と、
外部機器と接続して通信を行い、前記記憶手段に記憶されている前記編集対象目次を前記外部機器が読出可能にする通信手段と
を備えたことを特徴とする表示装置。
【請求項９】
画像の表示を行う表示装置に用いられる目次編集プログラムであって、コンピュータを、
前記画像と目次とを対応付けて記憶する記憶手段から読み出された前記画像を、前記表示装置の表示部に表示する表示手段、
前記表示装置の操作部から所定の指示操作が検出された場合に、前記表示装置の表示部に表示されている前記画像に対応する前記目次を、前記記憶手段において編集対象目次に設定する編集対象設定手段、
外部機器と接続して通信を行い、前記記憶手段に記憶されている前記編集対象目次を前記外部機器が読出可能にする通信手段
として機能させることを特徴とする目次編集プログラム。
【請求項１０】
画像の目次を編集するための編集装置に用いられる目次編集プログラムであって、コンピュータを、
画像と目次とが対応付けて記憶されるとともに、編集対象の前記目次が編集対象目次に設定されている外部機器と接続して通信を行う通信手段、
前記編集装置が前記外部機器と接続された場合に、前記外部機器から前記編集対象目次を読み出す編集対象読出手段、
前記編集対象読出手段によって読み出された前記編集対象目次を、前記編集装置の表示部に表示する表示手段、
前記編集装置の表示部に表示されている前記編集対象目次を、前記編集装置の操作部から検出される操作に応じて編集する目次編集手段、
前記外部機器において前記編集対象目次に設定されている前記目次を、前記目次編集手段によって編集された前記編集対象目次で更新する目次更新手段
として機能させることを特徴とする目次編集プログラム。
【発明の詳細な説明】
【技術分野】
【０００１】
表示装置で表示される画像の目次を編集するための目次編集システム、表示装置および目次編集プログラムに関する。
【背景技術】
【０００２】
従来、ユーザが携行可能な小型・軽量の表示装置（例えば、電子ペーパー）が提供されている。このような表示装置は、記憶媒体に記憶されている画像情報を読み出して、表示パネルに画像表示を行うことで、表示装置のＣＰＵに依存せず高速な画像表示が可能となる。画像情報は、画像表示に使用される画像データとともに、目次名やページ番号等を示す属性データを含んでいる。表示装置は、画像情報に含まれる属性データに基づいて、例えば目次名やページ番号等を表示することができる（例えば、特許文献１参照）。
【先行技術文献】
【特許文献】
【０００３】
【特許文献１】特開２００５−１６４６７２号公報
【発明の概要】
【発明が解決しようとする課題】
【０００４】
上記のような表示装置は、装置の小型化・軽量化を実現するために、操作部（例えば、操作キー）がユーザの画像閲覧に最低限必要な部品数だけで構成されている。そのため、表示装置において目次を任意に編集する場合には、ユーザが数量的に限られた操作キーを使用して文字やアルファベットを入力して目次を編集する必要があり、ユーザの操作負担が大きくなるおそれがあった。
【０００５】
そこで、記憶媒体に記憶されている画像情報をパーソナルコンピュータ（以下、ＰＣと称する。）に読み込ませて、ユーザがキーボードやマウスなどを用いて画像情報に含まれる目次を任意に編集することが考えられる。しかしながら、この場合は、ユーザが表示装置にて画像を閲覧しているときに目次を編集したいと思った場合は、のちにＰＣを使用してその目次を編集するために、その目次を記憶またはメモ書きしておく手間を生じていた。
【０００６】
本発明は、上記問題点を解決するためになされたものであり、表示装置で表示される画像の目次を、ユーザが容易に編集可能とする目次編集システム、表示装置および目次編集プログラムを提供することを目的とする。
【課題を解決するための手段】
【０００７】
本発明の第１態様に係る目次編集システムは、画像の表示を行う表示装置と、前記画像の目次を編集するための編集装置とを含む目次編集システムであって、前記表示装置は、前記画像と前記目次とを対応付けて記憶する記憶手段と、前記記憶手段に記憶されている前記画像を、前記表示装置の表示部に表示する第１表示手段と、前記表示装置の操作部から所定の指示操作が検出された場合に、前記表示装置の表示部に表示されている前記画像に対応する前記目次を、前記記憶手段において編集対象目次に設定する編集対象設定手段と、前記編集装置と接続して通信を行う第１通信手段とを備え、前記編集装置は、前記表示装置と接続して通信を行う第２通信手段と、前記編集装置が前記表示装置と接続された場合に、前記記憶手段を参照して前記編集対象目次を読み出す編集対象読出手段と、前記編集対象読出手段によって読み出された前記編集対象目次を、前記編集装置の表示部に表示する第２表示手段と、前記編集装置の表示部に表示されている前記編集対象目次を、前記編集装置の操作部から検出される操作に応じて編集する目次編集手段と、前記記憶手段において前記編集対象目次に設定されている前記目次を、前記目次編集手段によって編集された前記編集対象目次で更新する目次更新手段とを備えている。
【０００８】
第１態様によれば、表示装置で表示部に表示されている画像に対応する目次が編集対象目次に設定され、編集装置でその編集対象目次を編集可能となる。表示装置に記憶されている編集対象目次は、編集装置で編集された編集対象目次で更新される。これにより、表示装置で画像を閲覧しているときに目次を編集したいと思った場合、ユーザは表示装置で所定の指示操作を行うだけで、のちに編集装置を使用してその画像に対応する目次を編集可能である。そのため、表示装置の操作部が入力パターンに乏しい場合でも、操作部の入力パターンが豊富な編集装置を使用して目次を編集することができる。さらに、ユーザが表示装置で閲覧中の目次を編集したいと思った場合でも、のちに編集装置を使用して編集するためにその目次を記憶またはメモ書きしておく必要がない。
【０００９】
第１態様において、前記表示装置の表示部は、不揮発性表示部であり、前記第１表示手段は、前記表示装置の表示部に表示される画像の書き換えを行ってもよい。従来では、ユーザが不揮発性表示部を備えた表示装置で目次を編集すると、その編集内容を表示するために不揮発性表示部の画像書き換えが行われるため、表示装置の電力を消費するおそれがある。そのため、不揮発性表示部に表示された画像に対応する目次を、ユーザが編集装置を使用して編集できるようにすることで、目次編集時における表示装置の電力消費を抑制することができる。
【００１０】
第１態様において、前記記憶手段は、前記目次を編集状態と対応付けて記憶し、前記編集対象設定手段は、前記表示装置の表示部に表示されている前記画像に対応する前記目次に対応する前記編集状態を、前記編集対象目次であることを示す新規登録状態に設定し、前記編集対象読出手段は、前記編集状態が前記新規登録状態に設定されている前記目次を、前記編集対象目次として読み出してもよい。これによれば、表示装置にて編集対象にて新規登録状態に設定された目次が、編集装置に編集対象目次として読み出される。したがって、ユーザは、表示装置で編集対象として新規に登録した目次を、編集装置を使用して編集することができる。
【００１１】
第１態様において、前記編集装置は、前記目次更新手段によって更新された前記目次に対応する前記編集状態を、編集が完了したことを示す登録完了状態に更新してもよい。これによれば、編集装置で目次が編集された場合は、表示装置でその目次が登録完了状態に設定される。したがって、目次が登録完了状態であるか否かを参照することで、ユーザが未編集のままの目次を放置し、目次登録が未完了になってしまうことを抑止することができる。
【００１２】
第１態様において、前記編集装置は、前記目次編集手段によって編集された前記編集対象目次について、前記編集装置の操作部から確定指示があるか否かを判断する確定判断手段と、前記確定判断手段によって前記確定指示がないと判断された場合に、前記目次編集手段によって編集された前記編集対象目次に対応する前記編集状態を、編集が確定されていないことを示す既読状態に更新する第２状態更新手段とを備え、前記目次更新手段は、前記確定判断手段によって前記確定指示があると判断された場合に、前記記憶手段に記憶されている前記目次の更新を実行し、前記編集対象読出手段は、さらに前記編集対象目次として、前記編集状態が前記既読状態に設定されている前記目次を読み出してもよい。これによれば、編集装置で目次の編集内容が確定されなかった場合は、表示装置でその目次が既読状態に設定される。したがって、編集装置で編集が確定されなかった目次は、編集装置に編集対象目次として読み出されるため、ユーザは編集が確定されなかった目次を再度編集することができる。
【００１３】
第１態様において、前記記憶手段は、コンテンツごとに設けられた記憶領域に、前記画像と前記目次とを対応付けて記憶し、前記編集装置は、前記編集装置が前記表示装置と接続された場合に、前記編集装置の操作部から前記コンテンツの指定を受け付ける指定受付手段と、前記コンテンツ指定手段によって指定された前記コンテンツに対応する前記目次を、前記記憶手段を参照して前記コンテンツごとに設けられた記憶領域から読み出す目次読出手段と、前記目次読出手段によって読み出された前記目次に基づいて、前記コンテンツに含まれる前記目次が一覧表示された目次ページを作成する目次ページ作成手段とを備えてもよい。これによれば、コンテンツごとに、各画像の目次を一覧表示する目次ページが作成される。したがって、ユーザは、表示装置でコンテンツごとに作成された目次ページを参照して、そのコンテンツに含まれる各画像の目次を把握することができる。
【００１４】
第１態様において、前記編集装置は、前記目次ページ作成手段によって作成された前記目次ページを、前記コンテンツごとに設けられた記憶領域に書き込む目次ページ書込手段を備えてもよい。これによれば、コンテンツごとに作成された目次ページが、表示装置でそのコンテンツに含まれるように保存される。したがって、ユーザは、表示装置でコンテンツが表示されるときに、そのコンテンツに対応する目次ページを閲覧することができる。
【００１５】
本発明の第２態様に係る表示装置は、画像の表示を行う表示装置であって、前記画像と前記目次とを対応付けて記憶する記憶手段と、前記記憶手段に記憶されている前記画像を、前記表示装置の表示部に表示する表示手段と、前記表示装置の操作部から所定の指示操作が検出された場合に、前記表示装置の表示部に表示されている前記画像に対応する前記目次を、前記記憶手段において編集対象目次に設定する編集対象設定手段と、外部機器と接続して通信を行い、前記記憶手段に記憶されている前記編集対象目次を前記外部機器が読出可能にする通信手段とを備えている。
【００１６】
第２態様によれば、表示装置で表示部に表示されている画像に対応する目次が編集対象目次に設定され、外部機器でその編集対象目次を編集可能となる。これにより、表示装置で画像を閲覧しているときに目次を編集したいと思った場合、ユーザは表示装置で所定の指示操作を行うだけで、のちに外部機器を使用してその画像に対応する目次を編集可能である。そのため、表示装置の操作部が入力パターンに乏しい場合でも、操作部の入力パターンが豊富な外部機器を使用して目次を編集することができる。さらに、ユーザが表示装置で閲覧中の目次を編集したいと思った場合でも、のちに外部機器を使用して編集するためにその目次を記憶またはメモ書きしておく必要がない。
【００１７】
本発明の第３態様に係る目次編集プログラムは、画像の表示を行う表示装置に用いられる目次編集プログラムであって、コンピュータを、前記画像と目次とを対応付けて記憶する記憶手段から読み出された前記画像を、前記表示装置の表示部に表示する表示手段、前記表示装置の操作部から所定の指示操作が検出された場合に、前記表示装置の表示部に表示されている前記画像に対応する前記目次を、前記記憶手段において編集対象目次に設定する編集対象設定手段、外部機器と接続して通信を行い、前記記憶手段に記憶されている前記編集対象目次を前記外部機器が読出可能にする通信手段として機能させることを特徴とする。
【００１８】
第３態様によれば、表示装置で表示部に表示されている画像に対応する目次が編集対象目次に設定され、外部機器でその編集対象目次を編集可能となる。これにより、表示装置で画像を閲覧しているときに目次を編集したいと思った場合、ユーザは表示装置で所定の指示操作を行うだけで、のちに外部機器を使用してその画像に対応する目次を編集可能である。そのため、表示装置の操作部が入力パターンに乏しい場合でも、操作部の入力パターンが豊富な外部機器を使用して目次を編集することができる。さらに、ユーザが表示装置で閲覧中の目次を編集したいと思った場合でも、のちに外部機器を使用して編集するためにその目次を記憶またはメモ書きしておく必要がない。
【００１９】
本発明の第４態様に係る目次編集プログラムは、画像の目次を編集するための編集装置に用いられる目次編集プログラムであって、コンピュータを、画像と目次とが対応付けて記憶されるとともに、編集対象の前記目次が編集対象目次に設定されている外部機器と接続して通信を行う通信手段、前記編集装置が前記外部機器と接続された場合に、前記外部機器から前記編集対象目次を読み出す編集対象読出手段、前記編集対象読出手段によって読み出された前記編集対象目次を、前記編集装置の表示部に表示する表示手段、前記編集装置の表示部に表示されている前記編集対象目次を、前記編集装置の操作部から検出される操作に応じて編集する目次編集手段、前記外部機器において前記編集対象目次に設定されている前記目次を、前記目次編集手段によって編集された前記編集対象目次で更新する目次更新手段として機能させることを特徴とする。
【００２０】
第４態様によれば、外部機器で設定されている編集対象目次を、編集装置で編集可能となる。これにより、ユーザは外部機器で画像に対応する目次を編集対象に設定しておけば、のちに編集対象を使用してその画像に対応する目次を編集可能である。そのため、外部機器の操作部が入力パターンに乏しい場合でも、操作部の入力パターンが豊富な編集装置を使用して目次を編集することができる。さらに、ユーザが外部装置の使用時に目次を編集したいと思った場合でも、のちに編集装置を使用して編集するためにその目次を記憶またはメモ書きしておく必要がない。
【図面の簡単な説明】
【００２１】
【図１】目次編集システム１００のシステム構成図である。
【図２】表示装置１の電気的構成を示すブロック図である。
【図３】メモリカード５のデータ構成を示す図である。
【図４】ＰＣ２の電気的構成を示すブロック図である。
【図５】表示装置１のメイン処理を示すフローチャートである。
【図６】ドキュメント表示処理（Ｓ９）を示すフローチャートである。
【図７】表示パネル３に表示される画面を例示する図である。
【図８】編集対象追加処理（Ｓ３９）を示すフローチャートである。
【図９】表示パネル３に表示される画面を例示する図である。
【図１０】編集対象削除処理（Ｓ４３）を示すフローチャートである。
【図１１】目次表示処理（Ｓ４７）を示すフローチャートである。
【図１２】表示パネル３に表示される画面を例示する図である。
【図１３】ＰＣ２の目次編集処理を示すフローチャートである。
【図１４】接続処理（Ｓ５、Ｓ１０３）を示すフローチャートである。
【図１５】目次編集画面７０を例示する図である。
【図１６】編集受付処理（Ｓ１０７）を示すフローチャートである。
【図１７】目次ページ作成処理（Ｓ１０９）を示すフローチャートである。
【発明を実施するための形態】
【００２２】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２３】
本発明の一実施形態に係る目次編集システム１００について、図１〜図１７を参照して説明する。本実施形態の目次編集システム１００では、画像の表示を行う表示装置１と、画像の目次を編集するためのＰＣ２とが、ＵＳＢ（Ｕｎｉｖｅｒｓａｌ  Ｓｅｒｉａｌ  Ｂｕｓ）ケーブル４０を介して接続されている。
【００２４】
図１を参照して、表示装置１の物理的構成について説明する。表示装置１は、電気泳動方式の表示パネル３を備えた軽量・薄型をなす携帯型の表示装置である。表示パネル３としては、電気泳動方式の表示パネルの他、軽量・薄型の反射型液晶などを適用可能である。電気泳動方式の表示パネルの基本原理は、プラスに帯電した白の電気泳動粒子とマイナスに帯電した黒の電気泳動粒子を、電気泳動によって表示液中を移動させて画像を白黒で形成する。このように、本実施形態の表示装置１は、不揮発性表示部である表示パネル３を備えているので、表示パネル３にて画像の書き換えを行ったのちは、その画像の表示を維持するためには電力を消費しない。例えば、このような表示装置の不揮発性表示部としては、上述の電気泳動型の表示素子を備えたものや、コレステリック液晶等を備えたものがあげられる。
【００２５】
表示装置１は、所定厚を有する平面視長方形状の板状に形成され、その上面に平面視長方形状の表示パネル３が形成されている。表示パネル３には、テキストや図表等から構成される種々のコンテンツが表示される。これらのコンテンツは、表示パネル３の表示面からユーザが視認可能となる。本実施形態のコンテンツは、複数ページから構成されるドキュメントとし、表示パネル３には各ページの画像が表示されるものとする。また図示しないが、表示装置１の側面には、メモリカード５（図２参照）を挿入するためのカードスロットや、ＵＳＢケーブル４０が有するＵＳＢコネクタが着脱されるＵＳＢポートなどが設けられている。
【００２６】
表示パネル３の右側には、ユーザが表示装置１を操作するための操作キー６が設けられている。操作キー６は、電源キー６１、メニューキー６２、ドキュメント閉キー６３、拡大キー６４、前ページキー６５、次ページキー６６、キャラクタキー６７を有している（図７等参照）。電源キー６１は、表示装置１の電源をオン・オフするためのキーである。メニューキー６２は、ドキュメント選択や機能設定などを行うためのメニュー画面を表示するためのキーである。ドキュメント閉キー６３は、表示装置１で閲覧中のドキュメントの閲覧を終了するためのキーである。拡大キー６４は、表示中の画像を拡大するためのキーである。前ページキー６５および次ページキー６６は、それぞれドキュメントのページ戻しおよびページ送りを行って画像を切り換えるためのキーである。キャラクタキー６７は、各種情報の選択や入力を行うためのキーである。なお、電源キー６１の上側には、表示装置１の作動状態をＬＥＤの発光パターン（発光色、点灯、点滅など）で示すＬＥＤ表示部６８が設けられている。
【００２７】
図２を参照して、表示装置１の電気的構成について説明する。表示装置１の制御基板１０は、ＣＰＵ１１、ＲＯＭ１２、ＲＡＭ１３、ＥＥＰＲＯＭ１４、表示コントローラ１５、キーコントローラ１６、メモリカードインタフェース（Ｉ／Ｆ）１７、ＵＳＢＩ／Ｆ１８、電源コントローラ１９を有しており、これらの構成がバスを介して接続されている。ＣＰＵ１１は、表示装置１の制御を司る。ＲＯＭ１２は、表示装置１を動作させる制御プログラムや、表示装置１の動作に関わる設定情報を記憶する。ＲＡＭ１３は、各種データを一時的に記憶するメモリである。ＥＥＰＲＯＭ１４は、各種データを記憶する不揮発性メモリである。本実施形態では、ＲＯＭ１２に記憶される制御プログラムが、ＣＰＵ１１に後述のメイン処理（図５参照）を実行させる目次編集プログラムとして機能する。
【００２８】
表示コントローラ１５は、表示パネル３での画像表示を制御する。キーコントローラ１６は、操作キー６でのキー操作を受け付ける。メモリカードＩ／Ｆ１７は、カードスロットに挿入されたメモリカード５に対するデータの読出・書込を行う。ＵＳＢＩ／Ｆ１８は、先述のＵＳＢポートを有するとともに、ＵＳＢケーブル４０を介して外部機器（すなわち、ＰＣ２）との間でデータ送受を行う。電源コントローラ１９は、表示装置１に内蔵されて電源を供給するバッテリ４の充放電を制御したり、バッテリ４の電池残量や電圧低下を検知したり、表示装置１に供給する電圧を制御したりする。
【００２９】
本実施形態の表示装置１では、制御基板１０内に電子ファイルを保存することなく、表示装置１に着脱自在なメモリカード５に、ドキュメント（詳細には、ドキュメントに含まれるページ単位の画像ファイル）が記憶されている。メモリカード５内のドキュメントに基づいて、表示パネル３に画像表示が行われる。そこで、メモリカード５には、表示装置１で閲覧可能なドキュメントを記憶するための記憶領域が設けられている。
【００３０】
図３に示すように、メモリカード５には、表示装置１で閲覧可能なドキュメントに関する情報を記憶する領域である表示データ保存フォルダ５１が設けられている。表示データ保存フォルダ５１には、フォルダ定義データ５２と、フォルダ格納用フォルダ５７とが記憶されている。フォルダ定義データ５２は、表示データ保存フォルダ５１の直下に格納されている全てのフォルダおよびデータを管理するためのプロパティ情報が設定されたファイルである。本実施形態では、表示装置１は、フォルダ定義データ５２を参照して、表示データ保存フォルダ５１の直下に記憶されているフォルダ格納用フォルダ５７を認識できる。本実施形態のフォルダ定義データ５２には、さらに、表示データ保存フォルダ５１内に後述の編集対象目次が存在するか否か、および、その編集対象目次が設定されている後述のインデックスデータ５６へのファイルパスが記録されている。
【００３１】
フォルダ格納用フォルダ５７には、フォルダ定義データ５８と、ドキュメントごとに各種情報が記憶されるドキュメントフォルダ５３とが記憶されている。フォルダ定義データ５８は、フォルダ格納用フォルダ５７の直下に格納されている全てのフォルダおよびデータを管理するためのプロパティ情報が設定されたファイルである。本実施形態では、表示装置１は、フォルダ定義データ５８を参照して、フォルダ格納用フォルダ５７の直下に記憶されているドキュメントフォルダ５３を認識できる。
【００３２】
ドキュメントフォルダ５３には、ドキュメント定義データ５４と、ページデータ５５と、インデックスデータ５６とが、ドキュメントごとに記憶されている。ドキュメント定義データ５４は、ドキュメントフォルダ５３に格納されている全てのページデータ５５を管理するためのプロパティ情報が設定されたファイルである。表示装置１は、各ドキュメントフォルダ５３の直下に保存されているドキュメントフォルダ５３を参照して、各ドキュメントのページ構成およびページデータ５５の表示順序を認識できる。
【００３３】
ページデータ５５は、ドキュメントを構成する複数のページごとに設けられ、各ページを表示するための画像ファイルである。本実施形態では、ドキュメントにおける表示順（ページ番号順）に沿って、各ページに対応するページデータ５５（１ページ目の画像ページ５５Ｂ、２ページ目の画像ページ５５Ｃ・・・）がドキュメントフォルダ５３内に記憶されている。ただし、ドキュメントの目次を一覧表示するページデータ５５（目次ページ５５Ａ）が存在する場合は、目次ページ５５Ａがドキュメントフォルダ５３内の先頭位置に記憶される。
【００３４】
インデックスデータ５６は、ドキュメントを構成するページ単位の画像（つまり、ページデータ５５）のうちで、ユーザが編集対象に指定した画像に対応する目次情報を記憶するファイルである。より具体的には、インデックスデータ５６は、ドキュメントを構成するページ単位の画像ごとに、目次情報として「目次番号」、「目次名」、「ページ番号」、「編集状態」、「目次更新日」を記憶している（図１５参照）。「目次番号」は、各画像の内容に応じて付与される番号である。「目次名」は、各画像の内容を簡潔に示す目次の名称である。「ページ番号」は、ドキュメントにおける各画像の表示順序に応じて付与される番号である。「編集状態」は、各画像に対応する目次情報がどのような編集過程の状態にあるかを示す。「目次更新日」は、各画像に対応する目次情報について編集状態が更新された日時を示す。
【００３５】
本実施形態の目次情報では、「新規登録状態」、「既読状態」、「登録完了状態」のいずれが、編集状態に設定される。「新規登録状態」は、ページ単位の画像が目次情報の編集対象に指定されたものの、その目次情報がまだ編集されていないことを示す。「既読状態」は、目次情報が編集されたものの、その編集内容が確定されなかったことを示す。「登録完了状態」は、目次情報が編集され、且つ、その編集内容が確定されたことを示す。なお、インデックスデータ５６に設定されている目次情報のうちで、編集状態が「新規登録状態」または「既読状態」に設定されている目次情報を、編集対象目次という。
【００３６】
図４を参照して、ＰＣ２の物理的構成および電気的構成について説明する。ＰＣ２は、従来のＰＣと同様の構成をなし、ＰＣ２の本体部２０に、入出力機器として、画像が表示されるディスプレイ７と、ユーザがキー操作を行うためのキーボード８と、ユーザがカーソル操作を行うためのマウス９とが接続されている。
【００３７】
ＰＣ２の本体部２０は、ＣＰＵ２１、ＲＯＭ２２、ＲＡＭ２３、ＨＤＤ２４、表示コントローラ２５、入力コントローラ２６、ＣＤ−ＲＯＭドライブ２７、ＵＳＢＩ／Ｆ２８を有しており、これらの構成がバスを介して接続されている。ＣＰＵ２１は、ＰＣ２の制御を司る。ＲＯＭ２２は、ＰＣ２を動作させる制御プログラムや、ＰＣ２の動作に関わる設定情報を記憶する。ＲＡＭ２３は、各種データを一時的に記憶するメモリである。ＨＤＤ２４は、各種データを記憶する大容量のハードディスクドライブである。表示コントローラ２５は、ディスプレイ７での画像表示を制御する。入力コントローラ２６は、キーボード８およびマウス９での入力操作を受け付ける。ＣＤ−ＲＯＭドライブ２７は、ＣＤ−ＲＯＭドライブ２７に装着されたＣＤ−ＲＯＭ２９に対するデータの読出を行う。ＵＳＢＩ／Ｆ２８は、ＵＳＢＩ／Ｆ１８と同様に、ＵＳＢケーブル４０を介して外部機器（すなわち、表示装置１）との間でデータ送受を行う。
【００３８】
ＨＤＤ２４には、ＣＰＵ２１に後述の目次編集処理（図１３参照）を実行させるアプリケーションプログラム（目次編集プログラム）が記憶されている。ＣＤ−ＲＯＭドライブ２７に挿入されるＣＤ−ＲＯＭ２９には、上記の目次編集プログラムが記憶されている。ＰＣ２では、ＣＤ−ＲＯＭドライブ２７からＣＤ−ＲＯＭ２９を読み込ませることで、目次編集プログラムをＨＤＤ２４にセットアップすることができる。
【００３９】
図５〜図１２を参照して、表示装置１にて実行される各種処理について説明する。まず、図５を参照して、表示装置１にて実行されるメイン処理について説明する。なお、図５に示すメイン処理は、電源キー６１がオンされると、ＲＯＭ１２に記憶されている制御プログラムに基づいて、ＣＰＵ１１によって実行される。
【００４０】
図５に示すように、表示装置１のメイン処理では、まず表示パネル３にメニュー画面が表示される（Ｓ１）。Ｓ１で表示されるメニュー画面では、ドキュメントを選択するためのメニューキーや、その他の機能設定を行うためのメニューキーなどが、初期メニューとして一覧表示される。Ｓ１の実行後、ＵＳＢＩ／Ｆ１８から検出される信号に基づいて、ＰＣ２との接続があるか否かが判断される（Ｓ３）。ＰＣ２との接続がある場合（Ｓ３：ＹＥＳ）、後述の接続処理が実行される（Ｓ５）。一方、ＰＣ２との接続がない場合（Ｓ３：ＮＯ）、ドキュメントの選択があるか否かが判断される（Ｓ７）。具体的には、ユーザが操作キー６を用いて、ドキュメントを選択するためのメニューキーを押下し、さらに任意のドキュメントを選択した場合（Ｓ７：ＹＥＳ）、後述のドキュメント表示処理が実行される（Ｓ９）。
【００４１】
ドキュメントの選択がない場合（Ｓ７：ＮＯ）、その他の操作があるか否かが判断される（Ｓ１１）。その他の操作がある場合（Ｓ１１：ＹＥＳ）、その操作に応じたその他の処理が実行される（Ｓ１３）。例えば、ユーザが操作キー６を用いて、その他の機能設定を行うためのメニューキーを押下し、さらに任意の機能設定を行った場合、その機能設定に応じた処理が実行される。その他の操作がない場合（Ｓ１１：ＮＯ）、Ｓ１に戻って、ＰＣ２との接続またはユーザの操作を待ち受ける。同様に、Ｓ５、Ｓ９、Ｓ１３のいずれかが実行されたのちも、Ｓ１に戻る。
【００４２】
図６および図７を参照して、ドキュメント表示処理（Ｓ９）の詳細について説明する。図６に示すドキュメント表示処理では、まずユーザによって選択されたドキュメントが表示パネル３に表示される（Ｓ３１）。詳細には、ユーザによって選択されたドキュメントの先頭ページが、表示パネル３に表示される。ドキュメントフォルダ５３内に目次ページ５５Ａが記憶されている場合、目次ページ５５Ａに基づく画像が先頭ページとして表示される。一方、ドキュメントフォルダ５３内に目次ページ５５Ａが記憶されていない場合、１ページ目の画像ページ５５Ｂに基づく画像が先頭ページとして表示される。なお、目次ページの作成方法については、別途後述する。
【００４３】
これにより、図７に示すように、表示装置１の表示パネル３に、ユーザが選択したドキュメントを構成するページデータ５５（目次ページまたは画像ページ）に基づくドキュメント画像３１が表示される。さらに、ユーザはメニューキー６２を押下することで、ドキュメント画像３１に重畳するようにメニュー一覧３２を表示させることができる。メニュー一覧３２は、後述する編集対象への追加、編集対象からの削除、目次の表示などを指示するためのメニューキーを含んでいる。
【００４４】
Ｓ３１の実行後、操作キー６にて検出されるキー操作に基づいて、ドキュメントのページ遷移が指示されたか否かが判断される（Ｓ３３）。例えば、前ページキー６５が押圧された場合（Ｓ３３：ＹＥＳ）、表示パネル３に表示中のドキュメント画像３１が、１ページ前のページデータ５５に基づく画像に書き換えられる（Ｓ３５）。また、次ページキー６６が押圧された場合（Ｓ３３：ＹＥＳ）、表示パネル３に表示中のドキュメント画像３１が、１ページ後のページデータ５５に基づく画像に書き換えられる（Ｓ３５）。
【００４５】
ドキュメントのページ遷移が指示されていない場合（Ｓ３３：ＮＯ）、表示パネル３に表示中のドキュメント画像３１（つまり、ページデータ５５）を目次情報の編集対象に追加する指示があるか否かが判断される（Ｓ３７）。例えば、表示パネル３にメニュー一覧３２を表示させた状態で（図７参照）、ユーザがキャラクタキー６７を使用して「編集対象へ追加」のメニューキーを選択した場合（Ｓ３７：ＹＥＳ）、表示中のドキュメント画像３１に対応する目次情報について、後述の編集対象追加処理が実行される（Ｓ３９）。
【００４６】
表示パネル３に表示中のドキュメント画像３１を目次情報の編集対象に追加する指示がない場合（Ｓ３７：ＮＯ）、そのドキュメント画像３１を目次情報の編集対象から削除する指示があるか否かが判断される（Ｓ４１）。例えば、表示パネル３にメニュー一覧３２を表示させた状態で（図７参照）、ユーザがキャラクタキー６７を使用して「編集対象から削除」のメニューキーを選択した場合（Ｓ４１：ＹＥＳ）、表示中のドキュメント画像３１に対応する目次情報について、後述の編集対象削除処理が実行される（Ｓ４３）。
【００４７】
表示パネル３に表示中のドキュメント画像３１を目次情報の編集対象から削除する指示がない場合（Ｓ４１：ＮＯ）、目次を表示する指示があるか否かが判断される（Ｓ４５）。例えば、表示パネル３にメニュー一覧３２を表示させた状態で（図７参照）、ユーザがキャラクタキー６７を使用して「目次の表示」のメニューキーを選択した場合（Ｓ４５：ＹＥＳ）、後述の目次表示処理が実行される（Ｓ４７）。
【００４８】
Ｓ３５、Ｓ３９、Ｓ４３、Ｓ４７のいずれかの実行後、または、目次を表示する指示がない場合（Ｓ４５：ＮＯ）、ドキュメントの閲覧終了の指示があるか否かが判断される（Ｓ４９）。例えば、ユーザがドキュメント閉キー６３を押圧した場合（Ｓ４９：ＹＥＳ）、ドキュメントの閲覧終了が指示されたものとして、メイン処理（図５）に戻って表示パネル３が再びメニュー画面に切り換えられる（Ｓ１）。ドキュメントの閲覧終了の指示がない場合（Ｓ４９：ＮＯ）、Ｓ３３に戻ってユーザの操作を待ち受ける。
【００４９】
図８および図９を参照して、編集対象追加処理（Ｓ３９）の詳細について説明する。図８に示す編集対象追加処理では、まず表示装置１で閲覧中のドキュメントに対応するインデックスデータ５６があるか否かが判断される（Ｓ５１）。具体的には、表示中のページデータ５５に対応するドキュメントフォルダ５３に、インデックスデータ５６が記憶されているか否かが判断される。ドキュメントフォルダ５３にインデックスデータ５６が記憶されている場合は（Ｓ５１：ＮＯ）、閲覧中のドキュメントに対応するインデックスデータ５６があるから、表示中のドキュメント画像３１（つまり、ページデータ５５）に対応する目次情報が、このインデックスデータ５６に追加される（Ｓ５５）。
【００５０】
具体的には、Ｓ５５では、表示中のドキュメント画像３１（つまり、ページデータ５５）に対応する目次情報が、次のようにインデックスデータ５６に追加される。すなわち、ページデータ５５に対応する目次情報として、「目次番号」、「目次名」、「ページ番号」が、表示装置１によって所定の命名規則に基づいて自動的に設定される。「編集状態」が、新規登録状態に設定される。「目次更新日」が、この目次情報が新規登録された現在日時に設定される。
【００５１】
一方、ドキュメントフォルダ５３にインデックスデータ５６が記憶されていない場合は（Ｓ５１：ＮＯ）、表示中のドキュメントに対応するインデックスデータ５６がないから、新規のインデックスデータ５６が作成されてドキュメントフォルダ５３内に保存される（Ｓ５３）。そして、新規に作成・保存されたインデックスデータ５６に、表示中のドキュメント画像３１（つまり、ページデータ５５）に対応する目次情報が追加される（Ｓ５５）。
【００５２】
Ｓ５５でインデックスデータ５６に目次情報が追加されたのに応じて、フォルダ定義データ５２が更新される（Ｓ５７）。すなわち、インデックスデータ５６に編集対象目次（つまり、「新規登録状態」の目次情報）が新規登録されたのに対応して、フォルダ定義データ５２にその編集対象目次が登録先のインデックスデータ５６と対応付けて登録される。また、新規のインデックスデータ５６が作成された場合は（Ｓ５３）、このインデックスデータ５６へのファイルパスが、フォルダ定義データ５２に記録される。Ｓ５７の実行後、ドキュメント表示処理（図６）に戻る。
【００５３】
なお、図９に示すように、表示中のドキュメント画像３１に対応する目次情報がインデックスデータ５６に追加されると、以後はこのドキュメント画像３１に重畳するように追加済表示３３が表示される。よって、ユーザは、追加済表示３３を参照して、表示パネル３に表示中のドキュメント画像３１を既に目次情報の編集対象に設定済みであることを把握できる。よって、同一のドキュメント画像３１に対応する目次情報が、重複してインデックスデータ５６に登録されるおそれが抑制される。
【００５４】
図１０を参照して、編集対象削除処理（Ｓ４３）の詳細について説明する。図１０に示す編集対象削除処理では、まず表示装置１で閲覧中のドキュメントに対応するインデックスデータ５６内に登録されている目次情報が１つであるか否かが判断される（Ｓ７１）。具体的には、表示中のページデータ５５に対応するドキュメントフォルダ５３に保存されているインデックスデータ５６内に、目次情報が１つだけ記憶されているか否かが判断される。なお、本実施形態では、先述のＳ４１において、インデックスデータ５６に目次情報が登録されているドキュメント画像３１（つまり、ページデータ５５）についてのみ、「編集対象から削除」のメニューキーを選択できるものとする。
【００５５】
インデックスデータ５６内に登録されている目次情報が１つでない場合は（Ｓ７１：ＮＯ）、そのインデックスデータ５６に登録されている複数の目次情報のうちで、対象の目次情報が削除される（Ｓ７３）。つまり、Ｓ７３では、表示中のドキュメント画像３１（つまり、ページデータ５５）に対応する目次情報が、インデックスデータ５６から削除される。一方、インデックスデータ５６内に保存されている目次情報が１つである場合（Ｓ７１：ＹＥＳ）、その目次情報が削除されるとインデックスデータ５６が不要となるから、ドキュメントフォルダ５３からインデックスデータ５６自体が削除される（Ｓ７５）。
【００５６】
Ｓ７３またはＳ７５で目次情報またはインデックスデータ５６が削除されたのに応じて、フォルダ定義データ５２が更新される（Ｓ７７）。すなわち、インデックスデータ５６から編集対象目次（つまり、「新規登録状態」の目次情報）が削除されたのに対応して、フォルダ定義データ５２からその編集対象目次が登録先のインデックスデータ５６から削除される。また、インデックスデータ５６が削除された場合は（Ｓ７５）、このインデックスデータ５６へのファイルパスが、フォルダ定義データ５２から記録される。Ｓ７７の実行後、ドキュメント表示処理（図６）に戻る。
【００５７】
なお、図７に示すように、表示中のドキュメント画像３１に対応する目次情報がインデックスデータ５６から削除されると、以後はこのドキュメント画像３１に重畳するように表示されていた追加済表示３３が消去される。よって、ユーザは、追加済表示３３が消去されたことで、表示パネル３に表示中のドキュメント画像３１が目次情報の編集対象に設定されていないことを把握できる。
【００５８】
図１１および図１２を参照して、目次表示処理（Ｓ４７）の詳細について説明する。図１１に示す目次表示処理では、まず表示装置１で閲覧中のドキュメントに対応するインデックスデータ５６が読み出される（Ｓ９１）。具体的には、表示中のページデータ５５に対応するドキュメントフォルダ５３に登録されているインデックスデータ５６が読み出される。Ｓ９１で読み出されたインデックスデータ５６に登録されている目次情報が、表示パネル３に一覧表示される（Ｓ９３）。これにより、図１２に示すように、表示装置１の表示パネル３に、ドキュメント画像３１に重畳するように目次一覧３４が表示される。ユーザは、目次一覧３４を参照することで、閲覧中のドキュメントを構成する各ページの目次番号、目次名、ページ番号を把握することができる。
【００５９】
Ｓ９３の実行後、表示パネル３に一覧表示された目次のいずれかが選択されたか否かが判断される（Ｓ９５）。例えば、ユーザがキャラクタキー６７を使用して、目次一覧３４から任意の目次情報を選択した場合（Ｓ９５：ＹＥＳ）、表示パネル３に表示中のドキュメント画像３１が、その選択された目次情報に対応するページデータ５５に基づく画像に書き換えられる（Ｓ９７）。Ｓ９７の実行後、または、表示パネル３に一覧表示された目次が選択されなかった場合（Ｓ９５：ＮＯ）、ドキュメント表示処理（図６）に戻る。
【００６０】
上記の各処理（図５〜図１２参照）によって、表示装置１では、ユーザがドキュメントを自由に閲覧するとともに、そのドキュメントを構成する各ページの目次情報を適宜参照することができる。さらに、表示パネル３に表示中のドキュメント画像３１を、目次情報の編集対象としてインデックスデータ５６（および、フォルダ定義データ５２）に追加および削除することができる。
【００６１】
図１３〜図１７を参照して、表示装置１にて実行される各種処理について説明する。まず、図１３を参照して、ＰＣ２にて実行される目次編集処理について説明する。なお、図１３に示す目次編集処理は、ＨＤＤ２４に記憶されている目次編集プログラムが起動されると、ＣＰＵ２１によって実行される。
【００６２】
図１３に示すように、ＰＣ２の目次編集処理では、まずＵＳＢＩ／Ｆ２８から検出される信号に基づいて、表示装置１との接続があるか否かが判断される（Ｓ１０１）。表示装置１との接続がある場合（Ｓ１０１：ＹＥＳ）、後述の接続処理が実行される（Ｓ１０３）。一方、表示装置１との接続がない場合（Ｓ１０１：ＮＯ）、Ｓ１０１に戻って表示装置１との接続を待ち受ける。
【００６３】
図１４を参照して、接続処理（Ｓ５、Ｓ１０３）の詳細について説明する。接続処理（図１４）は、表示装置１とＰＣ２とが接続されると、表示装置１およびＰＣ２が協働して実行される。ただし、図１４は、接続処理（Ｓ５、Ｓ１０３）の実行時に、ＰＣ２で実行される処理を示している。
【００６４】
図１４に示す接続処理では、まず表示装置１のメモリカード５にアクセスして、ＰＣ２にフォルダ定義データ５２が読み出される（Ｓ１１１）。具体的には、表示装置１とＰＣ２との間でＵＳＢ通信が行われ、メモリカード５の表示データ保存フォルダ５１内に登録されているフォルダ定義データ５２が、ＰＣ２のＲＡＭ２３に読み出される。Ｓ１１１の実行後、ＰＣ２に読み出されたフォルダ定義データ５２に編集対象目次があるか否かが判断される（Ｓ１１３）。詳細には、編集状態が「新規登録状態」または「既読状態」に設定されている目次情報が、フォルダ定義データ５２に登録されているか否かが判断される。
【００６５】
フォルダ定義データ５２に編集対象目次がある場合（Ｓ１１３：ＹＥＳ）、表示装置１のメモリカード５にアクセスして、ＰＣ２にインデックスデータ５６が読み出される（Ｓ１１５）。具体的には、フォルダ定義データ５２を参照して、編集対象目次が登録されているインデックスデータ５６のファイルパスが特定される。表示装置１とＰＣ２との間でＵＳＢ通信が行われ、特定されたファイルパスに基づいて、メモリカード５のドキュメントフォルダ５３内に記憶されているインデックスデータ５６が、ＰＣ２のＲＡＭ２３に読み出される。
【００６６】
Ｓ１１５の実行後、ＰＣ２に読み出されたインデックスデータ５６に基づいて、ディスプレイ７に目次編集画面が表示される（Ｓ１１７）。具体的には、図１５に示すように、インデックスデータ５６に登録されている目次情報を一覧表示する目次編集画面７０が表示される。図１５に示す目次編集画面７０では、インデックスデータ５６が対応するドキュメント名７１のほか、インデックスデータ５６に登録されている目次情報ごとに、目次番号７２、目次名７３、ページ番号７４、編集状態７５、目次更新日７６が表示される。
【００６７】
目次編集画面７０に表示される目次情報のうち、編集対象目次（つまり、編集状態７５が「新規」または「既読」の目次情報）は、他の目次情報（つまり、編集状態７５が「新登録済」の目次情報）との区別を容易にするために、太字および斜体で表示されている。また、ドキュメント名７１は、ＰＣ２に読み出されたインデックスデータ５６に対応するドキュメントがリスト状に表示されるプルダウンメニューとなっている。このプルダウンメニューを使用してドキュメント名７１が他のドキュメントに変更されると、変更後のドキュメントに対応するインデックスデータ５６に登録されている目次情報が、目次番号７２、目次名７３、ページ番号７４、編集状態７５、目次更新日７６に表示される。
【００６８】
ユーザは、ディスプレイ７に表示される目次編集画面７０を参照して、編集対象目次を含むドキュメントごとに各ページの目次情報を参照し、キーボード８やマウス９を使用して任意の目次情報を編集することができる。本実施形態では、目次編集画面７０に表示される各ページの目次情報のうちで、目次番号７２、目次名７３、ページ番号７４、編集状態７５の４項目について、ユーザが任意に変更可能となっている。
【００６９】
Ｓ１１７の実行後、目次編集処理（図１３）に戻る。また、フォルダ定義データ５２に編集対象目次がない場合も（Ｓ１１３：ＮＯ）、ディスプレイ７に目次編集画面７０を表示することなく、目次編集処理（図１３）に戻る。目次編集処理（図１３）では、Ｓ１０３の実行後、目次編集画面の表示があるか否かが判断される（Ｓ１０５）。ディスプレイ７に目次編集画面７０を表示されている場合は（Ｓ１０５：ＹＥＳ）、メモリカード５内に保存されているドキュメントが編集対象目次を含んでいるから、後述の編集受付処理が実行される（Ｓ１０７）。一方、ディスプレイ７に目次編集画面７０を表示されていない場合は（Ｓ１０５：ＮＯ）、メモリカード５内に保存されているドキュメントが編集対象目次を含んでいないから、後述の目次ページ作成処理が実行される（Ｓ１０９）。Ｓ１０７またはＳ１０９の実行後、Ｓ１０１に戻る。
【００７０】
図１６を参照して、編集受付処理（Ｓ１０７）の詳細について説明する。図１６に示す編集受付処理では、まずユーザによる目次編集操作が受け付けられる（Ｓ１３１）。すなわち、ユーザはキーボード８やマウス９を使用して、目次編集画面７０で任意の目次情報を編集する。そして、ユーザによる目次編集が終了したか否かが判断される（Ｓ１３３）。目次編集が終了した場合（Ｓ１３３：ＹＥＳ）、さらに編集済みの目次情報が登録されたか否かが判断される（Ｓ１３５）。
【００７１】
例えば、ユーザが目次編集画面７０にて図示外の終了ボタンを選択した場合（Ｓ１３３：ＹＥＳ）、「編集済みの目次情報を正式登録しますか？」という対話式表示が、ディスプレイ７に表示される。これに対し、ユーザが「ＹＥＳ」を選択した場合（Ｓ１３５：ＹＥＳ）、インデックスデータ５６に登録されている目次情報が、ユーザが編集した内容に更新される（Ｓ１３７）。具体的には、表示装置１とＰＣ２との間でＵＳＢ通信が行われ、目次編集画面７０にて編集された内容で、インデックスデータ５６に登録されている目次情報が更新される。
【００７２】
さらに、インデックスデータ５６に登録されている目次情報のうち、Ｓ１３７で更新された目次情報の編集状態が「登録完了状態」に更新される（Ｓ１３９）。そして、Ｓ１３９で「登録完了状態」に更新された目次情報が、フォルダ定義データ５２に登録されている編集対象目次から削除される（Ｓ１４１）。具体的には、表示装置１とＰＣ２との間でＵＳＢ通信が行われ、インデックスデータ５６にて更新済みの目次情報の編集状態が、「新規登録状態」または「既読状態」から「登録完了状態」に更新される（Ｓ１３９）。Ｓ１３９で「登録完了状態」に更新された目次情報は編集対象目次に該当しないから、その目次情報がフォルダ定義データ５２から削除される（つまり、編集対象目次から削除される）（Ｓ１４１）。
【００７３】
Ｓ１４１の実行後、インデックスデータ５６に登録されている目次情報のうち、Ｓ１３７で更新されなかった目次情報の編集状態が「既読状態」に更新される（Ｓ１４３）。詳細には、ユーザが目次編集画面７０にて編集登録を行わなかった目次情報のうち、編集状態に「新規登録状態」が設定されている目次情報が更新される一方、編集状態に「既読状態」または「登録完了状態」が設定されている目次情報は更新されない。具体的には、表示装置１とＰＣ２との間でＵＳＢ通信が行われ、インデックスデータ５６にて未編集の目次情報の編集状態が、「新規登録状態」から「既読状態」に更新される。なお、「既読状態」の目次情報は、「新規登録状態」の目次情報と同様に編集対象目次に該当するから、Ｓ１４３で更新されてもフォルダ定義データ５２からは削除されない。
【００７４】
なお、ユーザが目次編集画面７０にて図示外の終了ボタンを選択していない場合は、目次編集が終了していないから（Ｓ１３３：ＮＯ）、Ｓ１３１に戻ってユーザの目次編集操作が受け付けられる。また、「編集済みの目次情報を正式登録しますか？」という対話式表示に対してユーザが「ＮＯ」を選択した場合は、編集済みの目次情報が登録されないから（Ｓ１３５：ＮＯ）、Ｓ１４３が実行される。この場合、Ｓ１４３では、目次編集画面７０で表示された全ての「新規登録状態」の目次情報が、未編集の目次情報として「既読状態」に更新されることになる。このように、本実施形態では、目次編集画面７０にて表示された「新規登録状態」の目次情報のうち、編集内容が登録確定されなかった目次情報が「既読状態」に更新される（Ｓ１４３）。もちろん、目次編集画面７０にて表示された「新規登録状態」の目次情報のうちで、ユーザによって現実に編集されたものの登録が確定されなかった目次情報のみが「既読状態」に更新されてもよい。Ｓ１４３の実行後、目次編集処理（図１３）に戻る。
【００７５】
図１７を参照して、目次ページ作成処理（Ｓ１０９）の詳細について説明する。図１７に示す目次ページ作成処理では、まず目次ページを作成するドキュメントの選択が受け付けられる（Ｓ１５１）。具体的には、Ｓ１１１で読み出されたフォルダ定義データ５２に基づいて、メモリカード５に保存されているドキュメントの一覧がディスプレイ７に表示される。ユーザは、ディスプレイ７に表示されたドキュメントの一覧から、目次ページの作成対象とするドキュメントを選択する。
【００７６】
表示装置１のメモリカード５にアクセスして、Ｓ１５１で選択されたドキュメントに対応するインデックスデータ５６がＰＣ２に読み出される（Ｓ１５３）。具体的には、表示装置１とＰＣ２との間でＵＳＢ通信が行われ、メモリカード５のドキュメントフォルダ５３内に保存されているインデックスデータ５６が、ＰＣ２のＲＡＭ２３に読み出される。Ｓ１５３の実行後、ＰＣ２に読み出されたインデックスデータ５６に基づいて、目次ページのレイアウトが作成される（Ｓ１５５）。詳細には、インデックスデータ５６に登録されている目次情報に従って、各ページの目次が一覧表示される目次ページのレイアウトが作成される。Ｓ１５５で作成されたレイアウトに基づいて、表示装置１で表示可能な１画像のページデータ５５（つまり、目次ページ５５Ａ）が生成される（Ｓ１５７）。
【００７７】
Ｓ１５７の実行後、目次ページ５５Ａの生成元となったインデックスデータ５６が格納されているドキュメントフォルダ５３に、既存の目次ページ５５Ａが保存されているか否かが判断される（Ｓ１５９）。ドキュメントフォルダ５３内に既存の目次ページ５５Ａが保存されていない場合（Ｓ１５９：ＮＯ）、Ｓ１５７で生成された目次ページ５５Ａが、ドキュメントフォルダ５３内に先頭のページデータ５５として保存される（Ｓ１６１）。ドキュメントフォルダ５３内に既存の目次ページ５５Ａが保存されている場合（Ｓ１５９：ＹＥＳ）、既存の目次ページ５５ＡがＳ１５７で生成された目次ページ５５Ａで更新される（Ｓ１６３）。Ｓ１６１またはＳ１６３の実行後、目次編集処理（図１３）に戻る。
【００７８】
上記の各処理（図１３〜図１７参照）によって、メモリカード５内に保存されているドキュメントに編集対象目次が含まれている場合は、ユーザが目次情報を編集するための目次編集画面７０が表示される。ユーザがキーボード８やマウス９を使用して、目次編集画面７０にて任意の目次情報を編集すると、その編集内容がメモリカード５内のインデックスデータ５６に反映される。
【００７９】
詳細には、インデックスデータ５６に登録されている目次情報のうちで、編集状態が「新規登録状態」に設定されている目次情報が、ＰＣ２に編集対象目次として読み出される。そのため、ユーザは、表示装置１で目次情報の編集対象として新規に登録した画像について、ＰＣ２を使用してその目次情報を編集することができる。また、ＰＣ２で目次情報が編集された場合は、表示装置１でその目次情報の編集状態が「登録完了状態」に設定される。そのため、ユーザは、目次情報の編集状態が「登録完了状態」であるか否かを参照することで、未編集のままの目次情報が放置されて、その目次情報の登録が未完了になってしまうことを抑止することができる。さらに、ＰＣ２で目次情報の編集内容が確定されなかった場合は、表示装置１でその目次の編集状態が「既読状態」に設定される。編集状態が「既読状態」に設定された目次情報は、ＰＣ２に編集対象目次として読み出されるため、ユーザは編集が確定されなかった目次情報を再度編集することができる。
【００８０】
また、メモリカード５内に記憶されているドキュメントに編集対象目次が含まれていない場合は、各ドキュメントに対応するインデックスデータ５６に登録されている全ての目次情報の編集状態が「登録完了状態」に設定されているとみなされる。そこで、ユーザが指定したドキュメントに含まれる各ページの目次を一覧表示する目次ページが作成され、表示装置１で対応するドキュメント内に保存される。したがって、ユーザは、表示装置１でドキュメントを閲覧するときに、そのドキュメントに対応する目次ページを参照して、ドキュメントに含まれる各ページの目次を把握することができる。
【００８１】
以上説明したように、本実施形態の目次編集システム１００では、表示装置１で表示パネル３に表示されている画像に対応する目次が編集対象目次に設定され、ＰＣ２でその編集対象目次を編集可能となる。表示装置１に記憶されている編集対象目次は、ＰＣ２で編集された編集対象目次で更新される。これにより、表示装置１で画像を閲覧しているときに目次を編集したいと思った場合、ユーザは表示装置１で所定の指示操作を行うだけで、のちにＰＣ２を使用してその画像に対応する目次を編集可能である。そのため、表示装置１の操作キー６が入力パターンに乏しい場合でも、キーボード８やマウス９などの入力パターンが豊富なＰＣ２を使用して目次を編集することができる。さらに、ユーザが表示装置１で閲覧中の目次を編集したいと思った場合でも、のちにＰＣ２を使用して編集するためにその目次を記憶またはメモ書きしておく必要がない。
【００８２】
なお、不揮発性表示部を有する表示装置が、例えば文字列入力のためのキーボードを備えている場合には、このキーボードを使用して目次を編集することが考えられる。この場合、例えばキーボードから入力されるテキスト等をリアルタイムに表示するために、キーボードの入力操作が行われる毎に不揮発性表示部の画像が書き換えられる。不揮発性表示部に表示される画像が頻繁に書き換えられると、電力の消費を抑えることができるという不揮発性表示部を備えた表示装置の利点が阻害されるおそれがある。本実施形態に係る表示装置１では、表示パネル３が不揮発性表示部であり、表示部３に表示される画像がページ送り等に応じて書き換えられる。表示パネル３に表示された画像に対応する目次を、ユーザがＰＣ２を使用して編集できるため、目次編集時における表示装置１の電力消費を抑制することができる。
【００８３】
ところで、上記実施形態において、メモリカード５が本発明の「記憶手段」に相当する。Ｓ３１、Ｓ３５、Ｓ９７を実行するＣＰＵ１１が、本発明の「第１表示手段」に相当する。Ｓ３９を実行するＣＰＵ１１が、本発明の「編集対象設定手段」に相当する。ＵＳＢＩ／Ｆ１８が、本発明の「第１通信手段」に相当する。ＵＳＢＩ／Ｆ２８が、本発明の「第２通信手段」に相当する。Ｓ１０３を実行するＣＰＵ２１が、本発明の「編集対象読出手段」に相当する。Ｓ１１７を実行するＣＰＵ２１が、本発明の「第２表示手段」に相当する。Ｓ１３１を実行するＣＰＵ２１が、本発明の「目次編集手段」に相当する。Ｓ１３７を実行するＣＰＵ２１が、本発明の「目次更新手段」に相当する。Ｓ１３９を実行するＣＰＵ２１が、本発明の「第１状態更新手段」に相当する。Ｓ１３５を実行するＣＰＵ２１が、本発明の「確定判断手段」に相当する。Ｓ１４３を実行するＣＰＵ２１が、本発明の「第２状態更新手段」に相当する。Ｓ１５１を実行するＣＰＵ２１が、本発明の「指定受付手段」に相当する。Ｓ１５３を実行するＣＰＵ２１が、本発明の「目次読出手段」に相当する。Ｓ１５５〜Ｓ１５７を実行するＣＰＵ２１が、本発明の「目次ページ作成手段」に相当する。Ｓ５を実行するＣＰＵ１１が、本発明の「表示装置の通信手段」に相当する。Ｓ１０３を実行するＣＰＵ２１が、本発明の「編集装置の通信手段」に相当する。
【００８４】
なお、本発明は上記実施形態に限定されるものではなく、発明の要旨を変更しない範囲での変更が可能である。例えば、上記実施形態では、電気泳動方式の表示パネル３で画像表示が行われる表示装置１を例示したが、公知の液晶ディスプレイ等で画像表示が行われる表示装置であってもよいし、デジタルフォトフレーム等の据え置き型の表示装置であってもよい。また、目次情報を編集するための外部機器としてＰＣ２を例示したが、表示装置１よりも豊富な入力パターンを実現可能な外部機器であればよい。
【００８５】
また、上記実施形態では、表示データ保存フォルダ５１の直下に保存されているフォルダ定義データ５２に、編集対象目次が存在するか否かが記録されている。これにより、ＰＣ２で実行されるＳ１１１〜Ｓ１１３では、ルートフォルダの先頭に保存されているフォルダ定義データ５２を参照するだけで、編集対象目次が存在するか否かが迅速かつ容易に判断されるが、これに限定されない。例えば、フォルダ定義データ５２を設けることなく、Ｓ１１１〜Ｓ１１３にて各インデックスデータ５６が直接読み出されて編集対象目次が存在するか否かが判断されてもよい。
【００８６】
また、上記実施形態では、Ｓ１１５〜Ｓ１１７にて編集対象目次を含むインデックスデータ５６が読み出され、このインデックスデータ５６に登録されている目次情報の全てが目次編集画面７０に表示されているが、これに限定されない。例えば、Ｓ１１５にてインデックスデータ５６から編集対象目次のみが読み出されてもよいし、Ｓ１１７にてインデックスデータ５６に登録されている目次情報のうちで編集対象目次のみが目次編集画面７０に表示されてもよい。
【符号の説明】
【００８７】
１    表示装置
２    ＰＣ
３    表示パネル
５    メモリカード
６    操作キー
７    ディスプレイ
８    キーボード
９    マウス
１１    ＣＰＵ
１２    ＲＯＭ
１８    ＵＳＢインタフェース
２１    ＣＰＵ
２４    ＨＤＤ
２８    ＵＳＢインタフェース
５１    表示データ保存フォルダ
５２    フォルダ定義データ
５３    ドキュメントフォルダ
５４    ドキュメント定義データ
５５    ページデータ
５６    インデックスデータ
７０    目次編集画面
【図１】
2011076472.tif 000003
【図２】
2011076472.tif 000004
【図３】
2011076472.tif 000005
【図４】
2011076472.tif 000006
【図５】
2011076472.tif 000007
【図６】
2011076472.tif 000008
【図７】
2011076472.tif 000009
【図８】
2011076472.tif 000010
【図９】
2011076472.tif 000011
【図１０】
2011076472.tif 000012
【図１１】
2011076472.tif 000013
【図１２】
2011076472.tif 000014
【図１３】
2011076472.tif 000015
【図１４】
2011076472.tif 000016
【図１５】
2011076472.tif 000017
【図１６】
2011076472.tif 000018
【図１７】
2011076472.tif 000019